(57)【要約】【課題】座部の先端と脚部の基端との間の隙間に指を入れ、脚部を持って展開しても指を怪我しない折畳椅子、シャワー装置を提供する。【解決手段】座部２は、表側の面が着座面２１となり、着座面２１に沿う基端側の部分が、壁６に設けられる座部支持部２２に回動自在に支持され、先端側の部分に脚部支持部２３を有する。脚部３は、脚部支持部２３に回動自在に支持される被支持部３１を有し、床上に載置される床載置部３２を有する。座部２の着座面２１と反対側の裏側の面に、先端側の端縁から基端側にかけて、脚部３が挿入される凹部２５が形成される。脚部３の端縁と凹部２５の先端側の内面との間に指が挿入可能な所定幅を有する隙間４が形成されるように、脚部支持部２３および被支持部３１が設けられる。隙間４には、座部２の表裏方向における中間部に、表側に指がそれ以上進入するのを規制する規制部７が設けられることを特徴とする。【選択図】図１
2015051156.tif 000002
【特許請求の範囲】
【請求項１】
表側の面が着座面となり、前記着座面に沿う一方向の一方の側である基端側の部分が、壁に設けられる座部支持部に回動自在に支持され、前記一方向の他方の側である先端側の部分に脚部支持部を有する座部と、
一端側に前記脚部支持部に回動自在に支持される被支持部を有し、他端側に床上に載置される床載置部を有する脚部と、を備え、
前記座部の前記先端側が上昇する向きに回動して前記先端側が前記壁に近接または当接し、且つ、前記脚部が前記座部に対して回動して前記脚部の前記他端側が前記座部に近接または当接する折畳状態と、
前記座部の前記先端側が下降する向きに回動して前記壁から離間することで前記着座面が上を向き、且つ、前記脚部が前記座部に対して回動して前記他端側が前記座部から離間し、前記床載置部が前記床上に載置される展開状態と、
が選択可能な折畳椅子であって、
前記座部の前記着座面と反対側の裏側の面に、前記先端側の端縁よりも前記基端側に位置する部分から前記基端側にかけて、前記脚部が挿入される凹部が形成され、
前記脚部の前記一端側の端縁と前記凹部の前記先端側の内面との間に指が挿入可能な所定幅を有する隙間が形成されるように、前記脚部支持部および前記被支持部が設けられ、
前記隙間には、前記座部の表裏方向における中間部に、表側に指がそれ以上進入するのを規制する規制部が設けられることを特徴とする折畳椅子。
【請求項２】
前記規制部は、前記凹部の前記先端側の前記内面から前記基端側に突出し、その突出端が前記脚部の前記一端側の前記端縁から前記先端側に、指が挿入困難な所定間隔をあけた位置にあり、前記基端側を向く方向よりも所定角度以上裏側にずれた方向を向く指当接面を有することを特徴とする請求１記載の折畳椅子。
【請求項３】
前記隙間が、前記被支持部の全長に亘って設けられることを特徴とする請求項１又は請求項２記載の折畳椅子。
【請求項４】
請求項１乃至請求項３のいずれか一項に記載された折畳椅子が、固定されるシャワー装置であって、
前記シャワー装置は、壁に固定される湯水混合栓と、壁に固定され前記湯水混合栓の下端部に取付けられる本体カバーと、前記湯水混合栓に対して上下方向に回動可能に設けられるアーム型シャワーと、を備え、
前記本体カバーに前記座部が固定されることを特徴とするシャワー装置。
【発明の詳細な説明】
【技術分野】
【０００１】
本発明は、折畳椅子、シャワー装置に関するものである。
【背景技術】
【０００２】
従来から、折畳椅子がシャワー装置に備えられるものが知られている（例えば特許文献１参照）。
【先行技術文献】
【特許文献】
【０００３】
【特許文献１】特開平１１−１４６８４０号公報
【発明の概要】
【発明が解決しようとする課題】
【０００４】
図５に示すように、従来の折畳椅子８１は、シャワー装置８６に回動自在に取付けられる座部８２と、使用者の体重を支えるために座部８２に回動自在に取付けられる脚部８４と、を備える。座部８２の裏側の面には、図５に示すように座部８２の先端側の端縁よりも座部８２の基端側に位置する部分から基端側にかけて、脚部８４が挿入される凹部８３が形成される。脚部８４の先端側の端縁と凹部８３の先端側の内面との間には、図５に示すように、指が挿入可能な所定幅を有する隙間８５が形成されるように、座部８２の先端部と脚部８４の先端部が設けられる。
【０００５】
折畳椅子８１は、座部８２を使用しないとき折畳んでおく折畳状態と、座部８２を使用するとき折畳状態から展開する展開状態と、が選択可能である。
【０００６】
折畳椅子８１を折畳状態から展開状態にするには、折畳椅子８１の座部８２の先端部と脚部８４の先端部との間の隙間８５に指を差込み、脚部８４の先端部を持ち、脚部８４を手前へ引く。
【０００７】
しかし、上記の方法で折畳椅子８１を展開する際、脚部８４が回動し、脚部８４の先端部を持っている指が隙間８５の奥側へ引き込まれてしまい、脚部８４の先端部と座部８２の底面との間に指が挟まれる虞があった。また、折畳椅子８１を展開する際、脚部８４が回動し、脚部８４の先端部を持っている指が、脚部８４の先端部と座部８２の先端部とに挟まれてしまう虞があった。
【０００８】
本発明は上記従来の問題点に鑑みて発明したものであって、その目的とするところは、座部の先端と脚部の先端との間の隙間に指を入れ、脚部を持って展開しても指を挟み難い折畳椅子、シャワー装置を提供することを課題とするものである。
【課題を解決するための手段】
【０００９】
上記課題を解決するために、本発明は、以下のような構成とする。
【００１０】
表側の面が着座面となり、前記着座面に沿う一方向の一方の側である基端側の部分が、壁に設けられる座部支持部に回動自在に支持され、前記一方向の他方の側である先端側の部分に脚部支持部を有する座部と、一端側に前記脚部支持部に回動自在に支持される被支持部を有し、他端側に床上に載置される床載置部を有する脚部と、を備え、前記座部の前記先端側が上昇する向きに回動して前記先端側が前記壁に近接または当接し、且つ、前記脚部が前記座部に対して回動して前記脚部の前記他端側が前記座部に近接または当接する折畳状態と、前記座部の前記先端側が下降する向きに回動して前記壁から離間することで前記着座面が上を向き、且つ、前記脚部が前記座部に対して回動して前記他端側が前記座部から離間し、前記床載置部が前記床上に載置される展開状態と、が選択可能な折畳椅子であって、前記座部の前記着座面と反対側の裏側の面に、前記先端側の端縁よりも前記基端側に位置する部分から前記基端側にかけて、前記脚部が挿入される凹部が形成され、前記脚部の前記一端側の端縁と前記凹部の前記先端側の内面との間に指が挿入可能な所定幅を有する隙間が形成されるように、前記脚部支持部および前記被支持部が設けられ、前記隙間には、前記座部の表裏方向における中間部に、表側に指がそれ以上進入するのを規制する規制部が設けられることを特徴とする。
【００１１】
また、前記規制部は、前記凹部の前記先端側の前記内面から前記基端側に突出し、その突出端が前記脚部の前記一端側の前記端縁から前記先端側に、指が挿入困難な所定間隔をあけた位置にあり、前記基端側を向く方向よりも所定角度以上裏側にずれた方向を向く指当接面を有することが好ましい。
【００１２】
また、前記隙間が、前記被支持部の全長に亘って設けられることが好ましい。
【００１３】
前記折畳椅子が固定されるシャワー装置であって、前記シャワー装置は、壁に固定される湯水混合栓と、壁に固定され前記湯水混合栓の下端部に取付けられる本体カバーと、前記湯水混合栓に対して上下方向に回動可能に設けられるアーム型シャワーと、を備え、前記本体カバーに前記座部が固定されることを特徴とする。
【発明の効果】
【００１４】
本発明の折畳椅子は、座部の先端部と脚部の基端部の間の隙間に規制部が設けられる。これにより、脚部の基端部を持っている指が隙間の奥の方へ引き込まれてしまう虞を無くすことができる。
【００１５】
本発明のシャワー装置は、シャワー装置に備えられる折畳椅子に、座部の先端部と脚部の基端部の間の隙間に規制部が設けられる。これにより、脚部の基端部を持っている指が隙間の奥の方へ引き込まれてしまう虞を無くすことができる。
【図面の簡単な説明】
【００１６】
【図１】本実施形態の折畳椅子が折畳状態のときの、座部の先端近傍の拡大断面図である。
【図２】本実施形態の折畳椅子が展開状態のときの、座部の先端近傍の拡大断面図である。
【図３】（ａ）は本実施形態の折畳椅子がシャワー装置に取付けられたもので、折畳椅子が展開状態の斜視図であり、（ｂ）は本実施形態の折畳椅子がシャワー装置に取付けられたもので、折畳椅子が折畳状態の斜視図である。
【図４】（ａ）は指当接面の法線が基準方向から所定角度θ０°で傾いている略図であり、（ｂ）は指当接面の法線が基準方向から所定角度θ０°未満の角度θ１°で傾いている略図である。
【図５】従来例の折畳椅子で、折畳椅子が折畳状態のときの、座部の先端近傍の拡大断面図である。
【発明を実施するための形態】
【００１７】
座部２は、表側の面が着座面２１となり、着座面２１に沿う一方向の一方の側である基端側の部分が、壁６に設けられる座部支持部２２に回動自在に支持され、一方向の他方の側である先端側の部分に脚部支持部２３を有する。脚部３は、一端側に脚部支持部２３に回動自在に支持される被支持部３１を有し、他端側に床上に載置される床載置部３２を有する。座部２の先端側が上昇する向きに回動して先端側が壁６に近接または当接し、且つ、脚部３が座部２に対して回動して脚部３の他端側が座部２に近接または当接する折畳状態とする。座部２の先端側が下降する向きに回動して壁６から離間することで着座面２１が上を向き、且つ、脚部３が座部２に対して回動して他端側が座部２から離間し、床載置部３２が床上に載置される展開状態とする。折畳椅子は、折畳状態と展開状態とが選択可能である。座部２の着座面２１と反対側の裏側の面に、先端側の端縁よりも基端側に位置する部分から基端側にかけて、脚部３が挿入される凹部２５が形成される。脚部３の一端側の端縁と凹部２５の先端側の内面との間に指が挿入可能な所定幅を有する隙間４が形成されるように、脚部支持部２３および被支持部３１が設けられる。隙間４には、座部２の表裏方向における中間部に、表側に指がそれ以上進入するのを規制する規制部７が設けられることを特徴とする。
【００１８】
また、規制部７は、凹部２５の先端側の内面から基端側に突出し、その突出端が脚部３の一端側の端縁から先端側に、指が挿入困難な所定間隔をあけた位置にある。規制部７は、基端側を向く方向よりも所定角度以上裏側にずれた方向を向く指当接面７１を有することが好ましい。
【００１９】
また、隙間４が、被支持部３１の全長に亘って設けられることが好ましい。
【００２０】
折畳椅子１が固定されるシャワー装置５である。シャワー装置５は、壁６に固定される湯水混合栓５１を備える。シャワー装置５は、壁６に固定され湯水混合栓５１の下端部に取付けられる本体カバー５２を備える。シャワー装置５は、湯水混合栓５１に対して上下方向に回動可能に設けられるアーム型シャワー５３を備える。シャワー装置５は、本体カバー５２に座部２が固定されることを特徴とする。
【００２１】
以下、本発明を添付図面に示す実施形態に基いて説明する。
【００２２】
本実施形態の折畳椅子１は、図１に示すように、使用者が着座する際に臀部を乗せる座部２と、折畳椅子１を展開し椅子として使用する際に座部２を支持する脚部３と、を備える。また折畳椅子１は、本実施形態では、図１に示すように、シャワー装置５に回動自在に支持される。
【００２３】
シャワー装置５は、本実施形態では、壁６に取付けられる。従って、折畳椅子１はシャワー装置５を介して壁６に固定されることになる。以下では、シャワー装置５から視て壁６側を前方向として説明する。
【００２４】
座部２は、表側の面が着座面２１となる。図１（ａ）に示すように、着座面２１の前後方向の前側である基端側の部分が、シャワー装置５の後述する本体カバー５２に設けられる座部支持部２２に回動自在に支持される。座部２は、図１（ａ）に示すように、前後方向の後側である先端側の部分に脚部支持部２３を有する。
【００２５】
座部２には、本実施形態では、図１（ａ）に示すように、左右方向の側端部に、後側端部から前側端部へと行く程上下方向の厚みが増す、側縁部２４が設けられる。
【００２６】
側縁部２４の上側部分は、座部２の左右方向の端部から流れ落ちようとする湯水を堰き止める堰部２４ａとなる。堰部２４ａの上端は、図１（ａ）に示すように、後側端部から前側端部へ行く程上方へ位置するように傾斜する。
【００２７】
側縁部２４の下側部分は、図１（ｂ）に示すように、脚部３を折畳んだ際に、座部２と脚部３とが面一になるように設けられる収納縁部２４ｂとなる。収納縁部２４ｂの下端は、図１（ａ）に示すように、後側端部から前側端部へ行く程下方へ位置するように傾斜する。
【００２８】
着座面２１は、本実施形態では、平面視矩形状となっているが、その形状は限定されない。着座面２１には、本実施形態では、図１（ａ）に示すように、着座面２１の中心よりも座部２の基端側にずれた位置に排水口２４ｃが設けられる。そして、排水口２４ｃは着座面２１の最下点に設けられる。
【００２９】
座部２の先端部は、本実施形態では、図２、３に示すように、側面視略Ｕ字状となっているが、その形状は限定されない。
【００３０】
脚部３は、図１（ｂ）に示すように、上端側に脚部支持部２３に回動自在に支持される被支持部３１を有する。脚部３は、図１（ａ）に示すように、下端に床上に載置される床載置部３２を有する。
【００３１】
被支持部３１は、本実施形態では、図２、３に示すように、側面視略Ｕ字状となっているが、その形状は限定されない。被支持部３１と脚部支持部２３は、図示はしないが、一方が軸を有し、他方が軸受を有する。
【００３２】
折畳椅子１は、図１（ｂ）に示すように、座部２の先端側が上昇する向きに回動し先端側が本体カバー５２に近接または当接し、且つ、脚部３が座部２に対して回動し脚部３の下端側が座部２に近接または当接すると、折畳状態となる。
【００３３】
折畳椅子１は、図１（ａ）に示すように、座部２の先端側が下降する向きに回動し本体カバー５２から離間し、且つ、脚部３が座部２に対して回動し下端側が座部２から離間し、床載置部３２が床上に載置されると、展開状態となる。
【００３４】
折畳椅子１には、図２、３に示すように、座部２の着座面２１と反対側の裏側の面に、先端側の端縁よりも基端側に位置する部分から基端側にかけて、脚部３が挿入される凹部２５が形成される。凹部２５は、座部２の先端部と収納縁部２４ｂとで囲まれる。
【００３５】
図２に示すように、脚部３の上端側の端縁と凹部２５の先端側の内面との間に指が挿入可能な所定幅を有する隙間４が形成されるように、脚部支持部２３及び被支持部３１が設けられる。
【００３６】
隙間４には、座部２の表裏方向における中間部に、表側に指がそれ以上進入するのを規制する規制部７が設けられる。
【００３７】
本実施形態では、図２に示すように、隙間４の指が挿入される側の端部から隙間４の着座面２１側の端部に近付く程隙間４の広さが狭まっているが、隙間４の形状は限定されない。
【００３８】
使用者が、隙間４に指を差込み、被支持部３１を掴み、脚部３を後方へと引くことにより、座部２をシャワー装置５から離間させ、座部支持部２２を軸に座部２の先端が下降する向きに回動させる。座部２が回動すると、それに連動して、脚部３が座部２の凹部２５から出て、被支持部３１を軸に脚部３が座部２に対して回動する。そして、座部２が水平になるまで回動させると、脚部３が床上に載置され、図１（ａ）に示す展開状態となる。
【００３９】
折畳状態から展開状態へと展開する際、指が隙間４の更に奥側に引き込まれ、座部２の裏側の面と被支持部３１とで指が挟まれてしまう虞がある。そこで、隙間４の奥側に指が差込まれないように、規制部７が設けられる。なお、折畳状態から展開状態へ移行するには、使用者が、隙間４に指を入れるのではなく上方から座部２の先端部を掴み、座部２を後方へと引くことによっても、図１（ａ）に示す展開状態とすることができる。
【００４０】
規制部７は、凹部２５の先端側の内面から基端側に突出する。
【００４１】
規制部７は、本実施形態では、図２に示すように、凹部２５の先端側の内面の着座面２１側から略水平に設けられる下端部を有する。規制部７は、本実施形態では、図２に示すように、規制部７の下端部の着座面２１側とは反対側の端部から座部２の先端部の下端まで、略垂直に設けられる指当接面７１を有する。なお、規制部７は、上記したような形状に限定されない。
【００４２】
図２に示すように、規制部７の下端部は、脚部３の上端から座部２の先端側に、指が挿入困難な所定間隔をあけた位置にある。
【００４３】
所定間隔は、例えば隙間４の奥側に指が差込まれない間隔として３．８ｍｍにすることが考えられるが、その長さは特に限定されない。
【００４４】
規制部７は、座部２の基端側を向く方向よりも所定角度以上裏側にずれた方向を向く指当接面７１を有する。
【００４５】
図４（ａ）の角度θ°は、座部の基端側を向く基準方向７１ａから指当接面７１の法線が傾いている角度を示す。
【００４６】
図４（ａ）に示すように、θ°が所定角度θ０°のとき、指当接面７１と被支持部３１とで指が挟まれると、指が移動方向Ｍへ逃げる力は、指と、指当接面７１と被支持部３１との間にかかる摩擦力よりも大きい。そのため、θ０°は指が移動する最小の角度となる。指が指当接面７１に沿って移動方向Ｍに移動するので、指は挟まれない。従って、θ°がθ０°よりも大きいとき、指が指当接面７１の傾斜に沿って移動方向Ｍへ逃げることができる。
【００４７】
図４（ｂ）に示すように、θ°がθ０°未満のθ１°のとき、指当接面７１と被支持部３１とで指が挟まれると、指が移動方向Ｍへ逃げる力は、指と、指当接面７１と被支持部３１との間にかかる摩擦力よりも小さい。そのため、θ１°のとき、指は移動しない。指が指当接面７１に沿って移動方向Ｍに移動できないので、指は挟まれてしまう。
【００４８】
隙間４が、図１（ｂ）に示すように、被支持部３１の左右方向の全長に亘って設けられる。
【００４９】
これにより、隙間４に指を入れて折畳椅子１を展開する際、被支持部３１に指をかける場所を確認する必要が無いため、折畳椅子１を展開し易くなる。また、隙間４が一様に設けられるので、外観を良くすることができる。
【００５０】
上述したが、本実施形態では、図１に示すように、シャワー装置５に折畳椅子１が固定される。シャワー装置５は、壁６に固定される湯水混合栓５１と、壁６に固定され湯水混合栓５１の下端部に取付けられる本体カバー５２と、湯水混合栓５１に対して上下方向に回動可能に設けられるアーム型シャワー５３と、を備える。そして、本体カバー５２に座部２が固定される。
【００５１】
湯水混合栓５１は、上水道から給水管を介して供給された水と、給湯器から給湯管を介して供給された湯を混合して所望温度の湯水を生成する。給水管及び給湯管は、例えば浴室外から壁６の本体カバー５２に対応する部分を通して浴室内に導入され、導入された部分が、湯水混合栓５１に接続される。
【００５２】
湯水混合栓５１は、本実施形態では、図１に示されるように、横長であって、その外殻はカウンター部５４と、この前側に位置する円筒状部５４ａと、で構成される。カウンター部５４は、左右に長い略矩形箱状に形成される。カウンター部５４の後端は、鉛直な壁６に沿って配置され、湯水混合栓５１はこの状態で壁６に取り付けられる。
【００５３】
湯水混合栓５１はカウンター部５４の上面が略水平となるように設置される。カウンター部５４の上面は、石鹸置きやシャンプーボトル等の小物を載置するための載置部５４ｂを構成する。湯水混合栓５１の円筒状部５４ａは湯水混合栓５１の前端部に位置する。円筒状部５４ａは、湯水混合栓５１を壁６に取り付けたときに壁６から前方に離れた位置に配置される。
【００５４】
アーム型シャワー５３は湯水混合栓５１の長手方向の両端部に夫々設けられる。各アーム型シャワー５３は、アーム部５３ａと、アーム部５３ａに設けられた複数のシャワーノズル５３ｂを有する。
【００５５】
各アーム型シャワー５３のアーム部５３ａは直線状、詳しくは円筒状に形成される。両アーム型シャワー５３は湯水混合栓５１に対して夫々独立して上下に回動可能となっている。各アーム型シャワー５３の上下方向の回動範囲は湯水混合栓５１によって規制されない。
【００５６】
シャワーノズル５３ｂは各アーム部５３ａの長手方向に複数設けられる。各シャワーノズル５３ｂは、湯水混合栓５１からアーム型シャワー５３に供給された湯水をシャワーにして吐出する。このシャワーは広角に拡散して吐出される多数の水流で構成される。
【００５７】
各アーム型シャワー５３のシャワーノズル５３ｂはアーム部５３ａの長手方向に一列に等間隔で並べて設けられる。両アーム部５３ａは左右対称である。このため、両アーム部５３ａのシャワーノズル５３ｂ同士は対向する位置に配置可能となる。
【００５８】
本体カバー５２は湯水混合栓５１又は壁６あるいはその両方に着脱自在に取り付けられる。本体カバー５２は湯水混合栓５１の下方に隣接して配置される。給水管及び給湯管において壁６から浴室内に引き出された部分及び同部に設けられた止水栓は、本体カバー５２によって覆われる。
【００５９】
本体カバー５２の前面には前方に僅かに膨出した背凭れ部５６が形成される。背凭れ部５６の上部には後方に凹んだ背凭れ凹部５７が形成される。背凭れ凹部５７の奥面部の左右両側にはシャワーノズル５７ａが夫々設けられている。両シャワーノズル５７ａは同レベルに位置する。両シャワーノズル５７ａは、本体カバー５２及び背凭れ部５６によって覆われた配管（不図示）を介して湯水混合栓５１に接続される。
【００６０】
各シャワーノズル５７ａは湯水混合栓５１から供給された湯水をシャワーとして吐出する。このシャワーは、アーム型シャワー５３のシャワーノズル５３ｂから吐出されるものと同様に、広角に拡散して吐出される多数の水流で構成される。
【００６１】
図１に示されるように、湯水混合栓５１の左右に長い円筒状部５４ａには、操作部として、複数のハンドル５５が設けられている。ハンドル５５は円筒状部５４ａの長手方向（左右方向）においてアーム型シャワー５３が連結される両端部よりも内側に位置する。また、ハンドル５５は、湯水混合栓５１の長手方向における中央部よりも外側にずれた位置に設けられる。
【００６２】
各ハンドル５５は円筒部５５ａと突起部５５ｂを有している。各ハンドル５５の円筒部５５ａはその外周面が円筒状部５４ａの外周面と略面一となる。各ハンドル５５の突起部５５ｂは円筒部５５ａの周方向の一部から径外方向に向かって突出する。円筒部５５ａは湯水混合栓５１の円筒状部５４ａに対して左右軸回りに回動可能に設けられる。各ハンドル５５は突起部５５ｂを手指で操作することで円筒部５５ａに対して上下に回動することができる。
【００６３】
以上のような構成の折畳椅子１を用いることで、座部２の先端部と被支持部３１との間の隙間４の幅が、規制部７により、指が進入できないように狭められる。これにより、隙間４に指を差込み、被支持部３１を持って折畳椅子１を展開したとしても、指が隙間４の奥側に引き込まれて座部２の裏面と被支持部３１とに挟まれる虞を無くすことができる。また、基準方向７１ａと指当接面７１の法線との角度が、所定角度以上の角度である指当接面７１を有する。従って、被支持部３１と指当接面７１との間に指が挟まれそうになると、指当接面７１に平行な方向のうちの上側の方向に指を逃がすことができる。
【符号の説明】
【００６４】
１    折畳椅子
２    座部
３    脚部
４    隙間
５    シャワー装置
６    壁
７    規制部
【図１】
2015051156.tif 000003
【図２】
2015051156.tif 000004
【図３】
2015051156.tif 000005
【図４】
2015051156.tif 000006
【図５】
2015051156.tif 000007